(57)【要約】      （修正有）【課題】非接触型ＩＣカードとしての機能を有する携帯機器用ケースを提供する。【解決手段】携帯機器としてのスマートフォンＳに取り付けられる、携帯機器用ケースとしてのスマートフォンケース１であって、スマートフォンＳの表面の所定部分を覆うように構成され、内面に溝部が形成されたケース本体１０と、非接触で外部と通信可能に構成され、ケース本体１０の溝部に収納されるＩＣモジュール２０と、ＩＣモジュール２０を覆うように、ケース本体１０の内面に固定される磁性シート３０と、を具備する。【選択図】図１
0003182247.tif 000002
【実用新案登録請求の範囲】
【請求項１】
携帯機器に取り付けられる携帯機器用ケースであって、
前記携帯機器の表面の所定部分を覆うように構成され、内面に溝部が形成されたケース本体と、
非接触で外部と通信可能に構成され、前記ケース本体の溝部に収納されるＩＣモジュールと、
前記ＩＣモジュールを覆うように、前記ケース本体の内面に固定される磁性シートと、を具備する、
ことを特徴とする携帯機器用ケース。
【考案の詳細な説明】
【技術分野】
【０００１】
本考案は、携帯機器用ケースに関する。
【背景技術】
【０００２】
従来、ＩＣチップが組み込まれたＩＣカードが広く知られており、特に非接触型ＩＣカードが乗車券および電子マネー等として利用されている。
また、非接触型ＩＣカードとしての機能が付与された携帯電話が広く知られている。
【０００３】
今日、携帯電話としては、ｉＰｈｏｎｅ（登録商標）に代表されるスマートフォンが人気を集めており、その普及率が急激に増加している。
しかしながら、一部のスマートフォンには、非接触型ＩＣカードとしての機能が備わっておらず、当該機能の付与が強く望まれている。
【０００４】
特許文献１には、非接触型ＩＣカードとしての機能が備わっていないスマートフォンのためのケースが開示されている。特許文献１に記載のケースは、スマートフォンとの間に非接触型ＩＣカードを収納できるように構成されている。
しかしながら、特許文献１に記載のケースにおいては、ケースをスマートフォンに取り付ける際、またはケースをスマートフォンから取り外す際に、収納された非接触型ＩＣカードが脱離するおそれがある点で不利である。
【０００５】
一方、ポータブルメディアプレーヤおよび携帯情報端末（ＰＤＡ）等は、携帯電話と同様に常に持ち歩く携帯機器であるにも関わらず、非接触型ＩＣカードとしての機能が備わっているものが殆ど存在していない。
【先行技術文献】
【特許文献】
【０００６】
【特許文献１】登録実用新案第３１５９７１６号公報
【考案の概要】
【考案が解決しようとする課題】
【０００７】
本考案は、以上の如き状況を鑑みてなされたものであり、非接触型ＩＣカードとしての機能を有する携帯機器用ケースを提供することを課題とする。
【課題を解決するための手段】
【０００８】
本考案に係る携帯機器用ケースは、携帯機器に取り付けられる携帯機器用ケースであって、前記携帯機器の表面の所定部分を覆うように構成され、内面に溝部が形成されたケース本体と、非接触で外部と通信可能に構成され、前記ケース本体の溝部に収納されるＩＣモジュールと、前記ＩＣモジュールを覆うように、前記ケース本体の内面に固定される磁性シートと、を具備する。
【考案の効果】
【０００９】
本考案によれば、非接触型ＩＣカードと同様の機能を携帯機器に付与できる。
【図面の簡単な説明】
【００１０】
【図１】本考案に係る携帯機器用ケースの一実施形態であるスマートフォンケース、および当該スマートフォンケースが取り付けられるスマートフォンを示す図。
【図２】（ａ）は、ＩＣモジュールを収納するための溝部が形成されたケース本体を示す図、（ｂ）は、ＩＣモジュールが溝部に収納されたケース本体を示す図。
【図３】ＩＣモジュールと、磁性シートと、スマートフォンとの位置関係を示す断面図。
【考案を実施するための形態】
【００１１】
以下では、図１〜図３を参照して、本考案に係る携帯機器用ケースの一実施形態であるスマートフォンケース１について説明する。
スマートフォンケース１は、保護および装飾等のために、スマートフォンＳに取り付けられるケースである。
スマートフォンＳは、非接触型ＩＣカードとしての機能を有しないスマートフォンであり、略直方体形状を有している。
なお、説明の便宜上、図１における上下方向を、スマートフォンケース１およびスマートフォンＳの前後方向と定義する。
【００１２】
図１に示すように、スマートフォンケース１は、ケース本体１０と、ＩＣモジュール２０と、磁性シート３０とを具備する。
【００１３】
ケース本体１０は、スマートフォンＳの外形に沿って形成され、スマートフォンケース１がスマートフォンＳに取り付けられた際に、ディスプレイ等が設けられたスマートフォンＳの前面が露出するように構成されている。つまり、ケース本体１０は、前面が開放された略直方体状に形成されている。
ケース本体１０は、スマートフォンＳの後面を覆う背部１１と、スマートフォンＳの側面を覆う側部１２とを有する。
【００１４】
背部１１は、所定の厚み（前後寸法）を有し、スマートフォンＳの後面の形状に沿った略矩形状に形成されている。背部１１には、スマートフォンＳの後面に設けられたカメラレンズのための貫通孔１１ａが形成されている。
【００１５】
図２（ａ）および図２（ｂ）に示すように、背部１１の前面には、ＩＣモジュール２０を収納するための溝部１１ｂが形成されている。
溝部１１ｂは、背部１１の前面が後方に窪むように、ＩＣモジュール２０の形状に沿って形成されている。
【００１６】
図１に示すように、側部１２は、背部１１の外縁部が前方に向けて一定の高さ（前後寸法）で突出するように形成されている。側部１２は、スマートフォンＳに固定できるように構成されている。側部１２には、スマートフォンＳの電源コネクタの差込口のための貫通孔１２ａ、スマートフォンＳのマイクおよびスピーカのための貫通孔１２ｂ・１２ｂ、ならびにスマートフォンＳの音量等の操作スイッチのための貫通孔１２ｃが形成されている。
【００１７】
このように、ケース本体１０は、スマートフォンＳの表面の所定部分（スマートフォンＳの表面における、ディスプレイ等を除いた部分）を覆うように構成されている。更に、ケース本体１０の内面には、溝部１１ｂが形成されている。
ここで、ケース本体１０の「内面」とは、ケース本体１０における、スマートフォンＳの表面に対向する面である。つまり、ケース本体１０の背部１１の前面は、ケース本体１０の内面の一部を成している。
【００１８】
ＩＣモジュール２０は、非接触型ＩＣカードに組み込まれたＩＣモジュールと同様に構成され、非接触で外部との通信が可能となっている。
図２（ｂ）に示すように、ＩＣモジュール２０は、ＩＣチップ２１と、アンテナ２２とを有する。
【００１９】
ＩＣチップ２１は、各種情報処理等を行う制御手段、および各種データが格納される記憶手段を有する集積回路である。ＩＣチップ２１は、背部１１に形成された溝部１１ｂの所定の位置に収納されている。ＩＣチップ２１は、アンテナ２２と電気的に接続され、アンテナ２２を介して所定のリーダライタ（不図示）との通信を行う。
【００２０】
アンテナ２２は、前記リーダライタからの磁束によって電流が発生し、当該電流によってＩＣチップ２１を起動させる部材である。アンテナ２２は、銅またはアルミニウム等から構成された長尺の薄板状の導体であり、所定の形状（本実施形態においては、略矩形状）となるように所定の回数巻かれた状態で、背部１１に形成された溝部１１ｂの所定の位置に収納されている。アンテナ２２の一端部は、ＩＣチップ２１の第一の端子と接続され、アンテナ２２の他端部は、ＩＣチップ２１の第二の端子と接続されている。
【００２１】
磁性シート３０は、一般的に、ＲＦＩＤ（Ｒａｄｉｏ  Ｆｒｅｑｕｅｎｃｙ  ＩＤｅｎｔｉｆｉｃａｔｉｏｎ）に用いられる磁性シートであり、樹脂等から成るシートの表面を磁性材料の粉末が覆った構造を有する。
図３に示すように、磁性シート３０は、背部１１の溝部１１ｂに収納されたＩＣモジュール２０を完全に覆うように、両面テープ等によって背部１１の前面に接着される。つまり、磁性シート３０は、スマートフォンケース１をスマートフォンＳに取り付けた際、ＩＣモジュール２０とスマートフォンＳとの間に介在した状態となる。磁性シート３０は、スマートフォンＳにおいて磁気エネルギーが電流として消費されるのを抑制し、ＩＣモジュール２０と前記リーダライタとの間の通信距離を確保する。
【００２２】
以上のように、スマートフォンケース１においては、その外形を成すケース本体１０にＩＣモジュール２０を組み込み、ＩＣモジュール２０とスマートフォンＳとの間に磁性シート３０を介在させることによって、ＩＣモジュール２０と前記リーダライタとの通信を実現させている。
これにより、スマートフォンＳに取り付けられるスマートフォンケース１を非接触型ＩＣカードと同様に機能させることができる。換言すれば、スマートフォンＳに非接触型ＩＣカードと同様の機能を付与できる。
特に、スマートフォンケース１においては、ＩＣモジュール２０がケース本体１０に組み込まれているため、非接触型ＩＣカードを収納可能に構成された従来のケースのように、収納された非接触型ＩＣカードが脱離する、という問題が生じない点で有利である。
【００２３】
なお、本実施形態においては、ケース本体１０の外形を略直方体状としたが、本構成に限定するものではなく、種々の形状を採用可能である。
また、ケース本体１０の素材も特に限定されず、例えば、ポリカーボネートまたはシリコンを採用可能である。
【００２４】
なお、本実施形態においては、ＩＣチップ２１およびアンテナ２２を含むＩＣモジュール２０を採用したが、本構成に限定するものではない。例えば、本考案に係るＩＣモジュールとして、既存のインレットシートを採用してもよい。
また、複数のＩＣチップを備えたＩＣモジュールを採用することも可能である。かかる場合、各ＩＣチップに接続されたアンテナを、互いに独立させて設けると共に、各ＩＣチップにアンチコリジョン機能を搭載させればよい。これにより、本考案に係る携帯機器用ケースを複数の用途に対応させることができる。
【００２５】
また、本考案に係るＩＣモジュールに採用する規格（Ｔｙｐｅ−Ａ、Ｔｙｐｅ−Ｂ、およびＦｅｌｉｃａ（登録商標））も特に限定しない。
また、アンテナ２２の形状も特に限定されず、ケース本体１０の形状等に応じて適宜変更可能である。
【００２６】
また、スマートフォンＳに限定せず、ポータブルメディアプレーヤおよび携帯情報端末（ＰＤＡ）等の種々の携帯機器に、本考案に係る携帯機器用ケースを適用可能である。
【符号の説明】
【００２７】
１      スマートフォンケース（携帯機器用ケース）
１０    ケース本体
１１    背部
１１ｂ  溝部
１２    側部
２０    ＩＣモジュール
２１    ＩＣチップ
２２    アンテナ
３０    磁性シート
Ｓ      スマートフォン（携帯機器）
【図１】
0003182247.tif 000003
【図２】
0003182247.tif 000004
【図３】
0003182247.tif 000005